【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
遠隔のクライアント装置から送信された識別子を受信し、
前記識別子に対応付けられている遠隔ファイル・ソースを決定し、
前記ファイル・ソース及び前記識別子に対応付けられている少なくとも１つの最近使用したファイルのリストを生成し、
少なくとも１つの最近使用したファイルのリストへのアクセスを遠隔のクライアント装置から可能にするためのインターフェースを提示するようにコンピュータを動作させることで、
遠隔のクライアント装置からファイルへのアクセスを管理する方法。
【請求項２】
前記クライアント装置の表示装置に表示させるための前記インターフェースを構成することをさらに含む、請求項１に記載のアクセスを管理する方法。
【請求項３】
前記少なくとも１つの最近アクセスされたファイルのリストを生成することは、前記ファイル・ソース上の少なくとも１つの最近アクセスされたファイルのリストを前記ファイル・ソースから受信し、受信したリストに基づいて行われることを含む、請求項１に記載のアクセスを管理する方法。
【請求項４】
前記少なくとも１つの最近アクセスされたファイルのリストを生成することは、
前記ファイル・ソース上に格納されたファイルに対する最後のアクセス時間を読み取り、
前記最後のアクセス時間にしたがって、ファイルを選択する、
ことを含む、請求項１に記載のアクセスを管理する方法。
【請求項５】
前記少なくとも１つの最近アクセスされたファイルのリストを生成することは、
ユーザが使用可能なアプリケーションを決定し、
前記アプリケーションに対応付けられている少なくとも１つのファイルのリストを前記ファイル・ソースから受信する、
ことを含む、請求項１に記載のアクセスを管理する方法。
【請求項６】
遠隔のクラインと装置から送信された識別子を受信するステップと、
前記識別子に対応付けられている遠隔ファイル・ソースを決定するステップと、
前記ファイル・ソース及び前記識別子に対応付けられている少なくとも１つの最近使用したファイルのリストを生成するステップと、
少なくとも１つの最近使用したファイルのリストへのアクセスを可能にするインターフェースを提示するステップと、
をコンピュータに実行させるための遠隔のファイルへのアクセスを管理するプログラム。
【請求項７】
クライアント装置の表示機能に対して前記インターフェースを構成するステップをさらに含む、請求項６に記載のアクセスを管理するプログラム。
【請求項８】
前記少なくとも１つの最近アクセスされたファイルのリストを生成するステップは、前記ファイル・ソース上の少なくとも１つの最近アクセスされたファイルのリストを受信することを含む、請求項６に記載のアクセスを管理するプログラム。
【請求項９】
前記少なくとも１つの最近アクセスされたファイルのリストを生成するステップは、
前記ファイル・ソース上に格納されたファイルに対する最後のアクセス時間を読み取り、
前記最後のアクセス時間にしたがって、ファイルを選択する、
ことを含む、請求項６に記載のアクセスを管理するプログラム。
【請求項１０】
前記少なくとも１つの最近アクセスされたファイルのリストを生成するステップは、
ユーザが使用可能なアプリケーションを決定し、
前記アプリケーションに対応付けられている少なくとも１つのファイルのリストを前記ファイル・ソースから受信する、
ことを含む、請求項６に記載のアクセスを管理するプログラム。
【請求項１１】
電子メール・メッセージを送受信する電子メール・メッセージ・インターフェースを生成し、
遠隔クライアントとの電子メール・メッセージ・インターフェースを構成し、
送信側の前記遠隔クライアントの電子メールクライアントから添付ファイルを備えたメッセージを受信し、
共有位置に該添付ファイルを送信し、
前記共有位置に対応付けられているリンクを前記メッセージに挿入して変更し、変更されたメッセージを送信するようにコンピュータを動作させることで、
電子メール・メッセージを送信する方法。
【請求項１２】
前記リンクをメッセージに挿入することは、再生が困難なリンクを挿入することを含む、請求項１１に記載の電子メール・メッセージを送信する方法。
【請求項１３】
前記変更されたメッセージを受信側の前記遠隔クライアントに転送することをさらに含む、請求項１１に記載の電子メール・メッセージを送信する方法。
【請求項１４】
電子メール・メッセージを送受信する電子メール・メッセージ・インターフェースを生成するステップと、
遠隔クライアントとの電子メール・メッセージ・インターフェースを構成するステップと、
送信側の前記遠隔クライアントの電子メールクライアントから添付ファイルを備えたメッセージを受信するステップと、
共有位置に該添付ファイルを送信するステップと、
前記共有位置に対応付けられているリンクを前記メッセージに挿入して変更し、変更されたメッセージを送信するステップと、
をコンピュータに実行させるための電子メール・メッセージを送信するプログラム。
【請求項１５】
前記リンクをメッセージに挿入するステップは、再生が困難なリンクを挿入することを含む、請求項１４に記載の電子メール・メッセージを送信するプログラム。
【請求項１６】
前記ファイルを遠隔位置にコピーするステップをさらに含み、
前記リンクが、前記遠隔位置に対応付けられている、請求項１４に記載の電子メール・メッセージを送信するプログラム。
【請求項１７】
前記リンクは前記ファイルの位置に対応付けられている、請求項１４に記載の電子メール・メッセージを送信するプログラム。
【請求項１８】
クライアント・インターフェースと、
ファイル選択ジェネレータと、
を備える、遠隔ファイルへのアクセスを管理するシステムであって、
前記クライアント・インターフェースは、
遠隔クライアントのインターフェースを構成し、
前記遠隔クライアントから識別子を受信する、
ように構成され、
前記ファイル選択ジェネレータは、
前記識別子に対応付けられている少なくとも１つのファイル・ソースとコンタクトし、
前記ファイル・ソースから少なくとも１つの最近アクセスされたファイルのリストを生成する、
ように構成されている、
システム。
【請求項１９】
メッセージ・パーサをさらに含み、
前記メッセージ・パーサは、
添付ファイルを含む電子メール・メッセージを受信し、
前記添付ファイルを除去すべきかどうか判断し、
除去すべきであるという判断に応答して、共有位置に前記添付ファイルを送信し、
前記添付ファイル位置に対応付けられているリンクを挿入する、
ように構成されている、
請求項１８に記載のアクセスを管理するシステム。
【請求項２０】
添付ファイル・リファレンス・モジュールをさらに含み、
前記添付ファイル・リファレンス・モジュールは、前記添付ファイル位置に対応付けられているリンクを生成するように構成されている、
請求項１９に記載のアクセスを管理するシステム。
【請求項２１】
遠隔のクライアント装置から送信された識別子を受信するステップと、
前記識別子に対応付けられている最近のファイルのリストを、ファイルを格納する複数の位置から生成するステップと、
遠隔クライアントから前記最近のファイルのリストへのアクセスを可能とするインターフェースを提示するステップと、
前記リストのファイルへの動作要求を受信するステップと、
をコンピュータに実行させるための遠隔ファイルへのアクセスを管理するプログラム。
【請求項２２】
前記複数の位置が、遠隔ユーザに属しているファイル・ソースを含み、
前記最近のファイルのリストが、前記遠隔ユーザに属している前記ファイル・ソース上のファイルを含む、
請求項２１に記載のアクセスを管理するプログラム。
【請求項２３】
前記動作要求が、遠隔ユーザとファイルのコピーを共有するための要求を含む、請求項２１に記載のアクセスを管理するプログラム。
【請求項２４】
前記動作要求が、遠隔ユーザにファイルをファックス送信するための要求を含む、請求項２１に記載のアクセスを管理するプログラム。
【請求項２５】
前記動作要求が、遠隔ユーザとファイルのオリジナル・バージョンを共有するための要求を含む、請求項２１に記載のアクセスを管理するプログラム。
【請求項２６】
多機能装置によって生成されたファイルを受信するステップと、
前記多機能装置によって生成されたファイルを、前記最近のファイルのリストに追加するステップと、
をさらに含む、請求項２１に記載のアクセスを管理するプログラム。
【請求項２７】
前記動作要求が、遠隔プリンタでファイルを印刷することを含む、請求項２１に記載のアクセスを管理するプログラム。
【請求項２８】
前記動作要求は、遠隔ユーザがファイルのコピーへアクセスすることを可能とするリファレンスを含むメッセージを電子メール送信することを含むように構成されている、請求項２１に記載のアクセスを管理するプログラム。
【請求項２９】
前記動作要求は、遠隔ユーザがファイルのオリジナル・バージョンへアクセスすることを可能とするリファレンスを含むメッセージを電子メール送信することを含む、請求項２１に記載のアクセスを管理するプログラム。
【請求項３０】
電子メール・メッセージを送受信する電子メール・メッセージ・インターフェースを生成するステップと、
遠隔クライアントとの前記電子メール・メッセージ・インターフェースを構成するステップと、
送信側の前記クライアントから添付ファイルを備えたメッセージを受信するステップと、
添付ファイルを分離して、該添付ファイルにアクセスするための情報を提供するように構成されている添付データ・ファイルを前記メッセージに挿入するステップと、
をコンピュータに実行させるための電子メール・メッセージを送信するプログラム。
【請求項３１】
電子メール・メッセージを送受信する電子メール・メッセージ・インターフェースを生成するステップと、
遠隔クライアントとの電子メール・メッセージ・インターフェースを構成するステップと、
送信側の前記クライアントから添付ファイルを備えたメッセージを受信するステップと、
添付ファイルを分離して、該添付ファイルへのアクセスを可能にするように構成されている実行可能なファイルを前記メッセージに挿入するステップと、
をコンピュータに実行させるための電子メール・メッセージを送信するプログラム。
【手続補正２】
【補正対象書類名】明細書
【補正対象項目名】０００７
【補正方法】変更
【補正の内容】
【０００７】
本発明の第１の態様は、遠隔のクライアント装置からファイルへのアクセスを管理する方法であって、遠隔のクライアント装置から送信された識別子を受信し、前記識別子に対応付けられている遠隔ファイル・ソースを決定し、前記ファイル・ソース及び前記識別子に対応付けられている少なくとも１つの最近使用したファイルのリストを生成し、少なくとも１つの最近使用したファイルのリストへのアクセスを遠隔のクライアント装置から可能にするためのインターフェースを提示するようにコンピュータを動作させる。
【手続補正３】
【補正対象書類名】明細書
【補正対象項目名】０００８
【補正方法】変更
【補正の内容】
【０００８】
本発明の第２の態様は、第１の態様のアクセスを管理する方法であって、前記クライアント装置の表示装置に表示させるための前記インターフェースを構成することをさらに含む。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
本発明の第３の態様は、第１の態様のアクセスを管理する方法であって、前記少なくとも１つの最近アクセスされたファイルのリストを生成することは、前記ファイル・ソース上の少なくとも１つの最近アクセスされたファイルのリストを前記ファイル・ソースから受信し、受信したリストに基づいて行われることを含む。
【手続補正８】
【補正対象書類名】明細書
【補正対象項目名】００１３
【補正方法】変更
【補正の内容】
【００１３】
本発明の第４の態様は、第１の態様のアクセスを管理する方法であって、前記少なくとも１つの最近アクセスされたファイルのリストを生成することは、前記ファイル・ソース上に格納されたファイルに対する最後のアクセス時間を読み取り、前記最後のアクセス時間にしたがって、ファイルを選択する、ことを含む。
【手続補正９】
【補正対象書類名】明細書
【補正対象項目名】００１４
【補正方法】変更
【補正の内容】
【００１４】
本発明の第５の態様は、第１の態様のアクセスを管理する方法であって、前記少なくとも１つの最近アクセスされたファイルのリストを生成することは、ユーザが使用可能なアプリケーションを決定し、前記アプリケーションに対応付けられている少なくとも１つのファイルのリストを前記ファイル・ソースから受信する、ことを含む。
【手続補正１０】
【補正対象書類名】明細書
【補正対象項目名】００１５
【補正方法】変更
【補正の内容】
【００１５】
本発明の第６の態様は、遠隔のファイルへのアクセスを管理するプログラムであって、遠隔のクラインと装置から送信された識別子を受信するステップと、前記識別子に対応付けられている遠隔ファイル・ソースを決定するステップと、前記ファイル・ソース及び前記識別子に対応付けられている少なくとも１つの最近使用したファイルのリストを生成するステップと、少なくとも１つの最近使用したファイルのリストへのアクセスを可能にするインターフェースを提示するステップと、をコンピュータに実行させる。
【手続補正１１】
【補正対象書類名】明細書
【補正対象項目名】００１６
【補正方法】変更
【補正の内容】
【００１６】
本発明の第７の態様は、第６の態様のアクセスを管理するプログラムであって、クライアント装置の表示機能に対して前記インターフェースを構成するステップをさらに含む。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
本発明の第８の態様は、第６の態様のアクセスを管理するプログラムであって、前記少なくとも１つの最近アクセスされたファイルのリストを生成するステップは、前記ファイル・ソース上の少なくとも１つの最近アクセスされたファイルのリストを受信することを含む。
【手続補正１６】
【補正対象書類名】明細書
【補正対象項目名】００２１
【補正方法】変更
【補正の内容】
【００２１】
本発明の第９の態様は、第６の態様のアクセスを管理するプログラムであって、前記少なくとも１つの最近アクセスされたファイルのリストを生成するステップは、前記ファイル・ソース上に格納されたファイルに対する最後のアクセス時間を読み取り、前記最後のアクセス時間にしたがって、ファイルを選択する、ことを含む。
【手続補正１７】
【補正対象書類名】明細書
【補正対象項目名】００２２
【補正方法】変更
【補正の内容】
【００２２】
本発明の第１０の態様は、第６の態様のアクセスを管理するプログラムであって、前記少なくとも１つの最近アクセスされたファイルのリストを生成するステップは、ユーザが使用可能なアプリケーションを決定し、前記アプリケーションに対応付けられている少なくとも１つのファイルのリストを前記ファイル・ソースから受信する、ことを含む。
【手続補正１８】
【補正対象書類名】明細書
【補正対象項目名】００２３
【補正方法】変更
【補正の内容】
【００２３】
本発明の第１１の態様は電子メール・メッセージを送信する方法であって、電子メール・メッセージを送受信する電子メール・メッセージ・インターフェースを生成し、遠隔クライアントとの電子メール・メッセージ・インターフェースを構成し、送信側の前記遠隔クライアントの電子メールクライアントから添付ファイルを備えたメッセージを受信し、共有位置に該添付ファイルを送信し、前記共有位置に対応付けられているリンクを前記メッセージに挿入して変更し、変更されたメッセージを送信するようにコンピュータを動作させる。
【手続補正１９】
【補正対象書類名】明細書
【補正対象項目名】００２４
【補正方法】変更
【補正の内容】
【００２４】
本発明の第１２の態様は、第１１の態様の電子メール・メッセージを送信する方法であって、前記リンクをメッセージに挿入することは、再生が困難なリンクを挿入することを含む。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】変更
【補正の内容】
【００２８】
本発明の第１３の態様は、第１１の態様の電子メール・メッセージを送信する方法であって、前記変更されたメッセージを受信側の前記遠隔クライアントに転送することをさらに含む。
【手続補正２４】
【補正対象書類名】明細書
【補正対象項目名】００２９
【補正方法】変更
【補正の内容】
【００２９】
本発明の第１４の態様は電子メール・メッセージを送信するプログラムであって、電子メール・メッセージを送受信する電子メール・メッセージ・インターフェースを生成するステップと、遠隔クライアントとの電子メール・メッセージ・インターフェースを構成するステップと、送信側の前記遠隔クライアントの電子メールクライアントから添付ファイルを備えたメッセージを受信するステップと、共有位置に該添付ファイルを送信するステップと、前記共有位置に対応付けられているリンクを前記メッセージに挿入して変更し、変更されたメッセージを送信するステップと、をコンピュータに実行させる。
【手続補正２５】
【補正対象書類名】明細書
【補正対象項目名】００３０
【補正方法】変更
【補正の内容】
【００３０】
本発明の第１５の態様は、第１４の態様の電子メール・メッセージを送信するプログラムであって、前記リンクをメッセージに挿入するステップは、再生が困難なリンクを挿入することを含む。
【手続補正２６】
【補正対象書類名】明細書
【補正対象項目名】００３１
【補正方法】変更
【補正の内容】
【００３１】
本発明の第１６の態様は、第１４の態様の電子メール・メッセージを送信するプログラムであって、前記ファイルを遠隔位置にコピーするステップをさらに含み、前記リンクが、前記遠隔位置に対応付けられている。
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】変更
【補正の内容】
【００３４】
本発明の第１７の態様は、第１４の態様の電子メール・メッセージを送信するプログラムであって、前記リンクは前記ファイルの位置に対応付けられている。
【手続補正３０】
【補正対象書類名】明細書
【補正対象項目名】００３５
【補正方法】変更
【補正の内容】
【００３５】
本発明の第１８の態様は遠隔ファイルへのアクセスを管理するシステムであって、クライアント・インターフェースと、ファイル選択ジェネレータと、を備え、前記クライアント・インターフェースは、遠隔クライアントのインターフェースを構成し、前記遠隔クライアントから識別子を受信する、ように構成され、前記ファイル選択ジェネレータは、前記識別子に対応付けられている少なくとも１つのファイル・ソースとコンタクトし、前記ファイル・ソースから少なくとも１つの最近アクセスされたファイルのリストを生成する、ように構成されている。
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】変更
【補正の内容】
【００３９】
本発明の第１９の態様は、第１８の態様のアクセスを管理するシステムであって、メッセージ・パーサをさらに含み、前記メッセージ・パーサは、添付ファイルを含む電子メール・メッセージを受信し、前記添付ファイルを除去すべきかどうか判断し、除去すべきであるという判断に応答して、共有位置に前記添付ファイルを送信し、前記添付ファイル位置に対応付けられているリンクを挿入する、ように構成されている。
【手続補正３５】
【補正対象書類名】明細書
【補正対象項目名】００４０
【補正方法】変更
【補正の内容】
【００４０】
本発明の第２０の態様は、第１９の態様のアクセスを管理するシステムであって、添付ファイル・リファレンス・モジュールをさらに含み、前記添付ファイル・リファレンス・モジュールは、前記添付ファイル位置に対応付けられているリンクを生成するように構成されている。
【手続補正３６】
【補正対象書類名】明細書
【補正対象項目名】００４１
【補正方法】削除
【補正の内容】
【手続補正３７】
【補正対象書類名】明細書
【補正対象項目名】００４２
【補正方法】削除
【補正の内容】
【手続補正３８】
【補正対象書類名】明細書
【補正対象項目名】００４３
【補正方法】削除
【補正の内容】
【手続補正３９】
【補正対象書類名】明細書
【補正対象項目名】００４４
【補正方法】削除
【補正の内容】
【手続補正４０】
【補正対象書類名】明細書
【補正対象項目名】００４５
【補正方法】削除
【補正の内容】
【手続補正４１】
【補正対象書類名】明細書
【補正対象項目名】００４６
【補正方法】削除
【補正の内容】
【手続補正４２】
【補正対象書類名】明細書
【補正対象項目名】００４７
【補正方法】削除
【補正の内容】
【手続補正４３】
【補正対象書類名】明細書
【補正対象項目名】００４８
【補正方法】削除
【補正の内容】
【手続補正４４】
【補正対象書類名】明細書
【補正対象項目名】００４９
【補正方法】削除
【補正の内容】
【手続補正４５】
【補正対象書類名】明細書
【補正対象項目名】００５０
【補正方法】削除
【補正の内容】
【手続補正４６】
【補正対象書類名】明細書
【補正対象項目名】００５１
【補正方法】削除
【補正の内容】
【手続補正４７】
【補正対象書類名】明細書
【補正対象項目名】００５２
【補正方法】削除
【補正の内容】
【手続補正４８】
【補正対象書類名】明細書
【補正対象項目名】００５３
【補正方法】変更
【補正の内容】
【００５３】
本発明の第２１の態様は遠隔ファイルへのアクセスを管理するプログラムであって、遠隔のクライアント装置から送信された識別子を受信するステップと、前記識別子に対応付けられている最近のファイルのリストを、ファイルを格納する複数の位置から生成するステップと、遠隔クライアントから前記最近のファイルのリストへのアクセスを可能とするインターフェースを提示するステップと、前記リストのファイルへの動作要求を受信するステップと、をコンピュータに実行させる。
【手続補正４９】
【補正対象書類名】明細書
【補正対象項目名】００５４
【補正方法】変更
【補正の内容】
【００５４】
本発明の第２２の態様は、第２１の態様のアクセスを管理するプログラムであって、前記複数の位置が、遠隔ユーザに属しているファイル・ソースを含み、前記最近のファイルのリストが、前記遠隔ユーザに属している前記ファイル・ソース上のファイルを含む。
【手続補正５０】
【補正対象書類名】明細書
【補正対象項目名】００５５
【補正方法】変更
【補正の内容】
【００５５】
本発明の第２３の態様は、第２１の態様のアクセスを管理するプログラムであって、前記動作要求が、遠隔ユーザとファイルのコピーを共有するための要求を含む。
【手続補正５１】
【補正対象書類名】明細書
【補正対象項目名】００５６
【補正方法】変更
【補正の内容】
【００５６】
本発明の第２４の態様は、第２１の態様のアクセスを管理するプログラムであって、前記動作要求が、遠隔ユーザにファイルをファックス送信するための要求を含む。
【手続補正５２】
【補正対象書類名】明細書
【補正対象項目名】００５７
【補正方法】変更
【補正の内容】
【００５７】
本発明の第２５の態様は、第２１の態様のアクセスを管理するプログラムであって、前記動作要求が、遠隔ユーザとファイルのオリジナル・バージョンを共有するための要求を含む。
【手続補正５３】
【補正対象書類名】明細書
【補正対象項目名】００５８
【補正方法】変更
【補正の内容】
【００５８】
本発明の第２６の態様は、第２１の態様のアクセスを管理するプログラムであって、多機能装置によって生成されたファイルを受信するステップと、前記多機能装置によって生成されたファイルを、前記最近のファイルのリストに追加するステップと、をさらに含む。
【手続補正５４】
【補正対象書類名】明細書
【補正対象項目名】００５９
【補正方法】変更
【補正の内容】
【００５９】
本発明の第２７の態様は、第２１の態様のアクセスを管理するプログラムであって、前記動作要求が、遠隔プリンタでファイルを印刷することを含む。
【手続補正５５】
【補正対象書類名】明細書
【補正対象項目名】００６０
【補正方法】削除
【補正の内容】
【手続補正５６】
【補正対象書類名】明細書
【補正対象項目名】００６１
【補正方法】変更
【補正の内容】
【００６１】
本発明の第２８の態様は、第２１の態様のアクセスを管理するプログラムであって、前記動作要求は、遠隔ユーザがファイルのコピーへアクセスすることを可能とするリファレンスを含むメッセージを電子メール送信することを含むように構成されている。
【手続補正５７】
【補正対象書類名】明細書
【補正対象項目名】００６２
【補正方法】変更
【補正の内容】
【００６２】
本発明の第２９の態様は、第２１の態様のアクセスを管理するプログラムであって、前記動作要求は、遠隔ユーザがファイルのオリジナル・バージョンへアクセスすることを可能とするリファレンスを含むメッセージを電子メール送信することを含む。
【手続補正５８】
【補正対象書類名】明細書
【補正対象項目名】００６３
【補正方法】削除
【補正の内容】
【手続補正５９】
【補正対象書類名】明細書
【補正対象項目名】００６４
【補正方法】削除
【補正の内容】
【手続補正６０】
【補正対象書類名】明細書
【補正対象項目名】００６５
【補正方法】削除
【補正の内容】
【手続補正６１】
【補正対象書類名】明細書
【補正対象項目名】００６６
【補正方法】削除
【補正の内容】
【手続補正６２】
【補正対象書類名】明細書
【補正対象項目名】００６７
【補正方法】変更
【補正の内容】
【００６７】
本発明の第３０の態様は電子メール・メッセージを送信するプログラムであって、電子メール・メッセージを送受信する電子メール・メッセージ・インターフェースを生成するステップと、遠隔クライアントとの前記電子メール・メッセージ・インターフェースを構成するステップと、送信側の前記クライアントから添付ファイルを備えたメッセージを受信するステップと、添付ファイルを分離して、該添付ファイルにアクセスするための情報を提供するように構成されている添付データ・ファイルを前記メッセージに挿入するステップと、をコンピュータに実行させる。
【手続補正６３】
【補正対象書類名】明細書
【補正対象項目名】００６８
【補正方法】変更
【補正の内容】
【００６８】
本発明の第３１の態様は電子メール・メッセージを送信するプログラムであって、電子メール・メッセージを送受信する電子メール・メッセージ・インターフェースを生成するステップと、遠隔クライアントとの電子メール・メッセージ・インターフェースを構成するステップと、送信側の前記クライアントから添付ファイルを備えたメッセージを受信するステップと、添付ファイルを分離して、該添付ファイルへのアクセスを可能にするように構成されている実行可能なファイルを前記メッセージに挿入するステップと、をコンピュータに実行させる。